(57)【特許請求の範囲】
【請求項１】
ＬＥＤランプを支持する器具本体と、前記ＬＥＤランプのアース用口金が装着されるアース用ソケットと、前記器具本体に設けられて前記アース用ソケットが取り付けられる取付台部とを備え、前記アース用ソケットには、前記アース用口金から突出するランプピンを機械的に保持し且つ前記ランプピンに電気的に接続される導電板が設けられ、前記取付台部及び前記アース用ソケットには、前記アース用ソケットの前記導電板と前記器具本体との間をアース接続する接続手段が設けられ、
前記接続手段は、前記取付台部に設けられて前記アース用ソケットに設けられた挿入孔に挿入される突起部であって、前記突起部は、前記アース用ソケットが前記取付台部に取り付けられると前記挿入孔を介して前記導電板に接触し、
前記導電板には、前記突起部が挿入される孔部が設けられ、当該孔部の内周面に前記突起部が接触することを特徴とする照明器具。
【請求項２】
前記突起部は、撓み自在に形成されることを特徴とする請求項１記載の照明器具。
【請求項３】
前記孔部の内周縁には、前記突起部の突出する向きに突出し且つ前記孔部に挿入された前記突起部に近付く向きに傾斜する切り起こし片が設けられることを特徴とする請求項１又は２記載の照明器具。
【請求項４】
ＬＥＤランプを支持する器具本体と、前記ＬＥＤランプのアース用口金が装着されるアース用ソケットと、前記器具本体に設けられて前記アース用ソケットが取り付けられる取付台部とを備え、前記アース用ソケットには、前記アース用口金から突出するランプピンを機械的に保持し且つ前記ランプピンに電気的に接続される導電板が設けられ、前記取付台部及び前記アース用ソケットには、前記アース用ソケットの前記導電板と前記器具本体との間をアース接続する接続手段が設けられ、
前記接続手段は、前記アース用ソケット及び前記取付台部に取り付けられ、前記アース用ソケットの前記導電板及び前記取付台部に電気的に接続される接続部材であり、
前記アース用ソケットは、リード線が挿入される電線挿入孔を有し、前記導電板は、前記電線挿入孔に対向して配置されて速結端子構造を有する端子部を有し、前記接続部材は、前記電線挿入孔に挿入されて前記端子部に機械的に保持され且つ電気的に接続される挿入片を備えることを特徴とする照明器具。
【請求項５】
前記接続部材は、前記取付台部の一部が挿入される挿入溝を備え、前記挿入溝の内周縁に前記取付台部の一部が接触することを特徴とする請求項４記載の照明器具。
【発明の詳細な説明】
【技術分野】
【０００１】
本発明は、直管型のＬＥＤランプを光源とする照明器具に関する。
【背景技術】
【０００２】
近年、ＬＥＤ（発光ダイオード）の発光効率の上昇に伴い、低消費電力かつ長寿命であるＬＥＤを照明装置の光源として用いることが可能となっている。そして、既存の蛍光灯用の取付器具を改造することなく取替え可能なように、ＪＩＳ規格により標準化されている蛍光灯の電極ピンと同一形状の電極ピンを備え、該電極ピンからの電源供給に応じて点灯可能なように構成された照明装置が提案されている。例えば、特許文献１には、直管型の外管体の内部にＬＥＤ基板が保持され、外管体の両端に既存の直管型蛍光灯の取付器具に装着されるべき２つの口金を備えた構成が開示されている。
【先行技術文献】
【特許文献】
【０００３】
【特許文献１】特開２００９−４３４４７号公報
【発明の概要】
【発明が解決しようとする課題】
【０００４】
ところで、上記従来例のようなＬＥＤランプでは、一方の口金が給電用の口金、他方の口金がアース用の口金となっている。そして、このようなＬＥＤランプを光源とする照明器具では、図１２に示すように、給電用の口金が装着される給電用のソケット（図示せず）と、接地用の口金が装着されるアース用ソケット１００とが器具本体１０１に取り付けられている。
【０００５】
ここで、アース用ソケット１００は、その内部にＬＥＤランプのランプピン（図示せず）が接触接続される導電板１０２を備えており、この導電板１０２を器具本体１０１にアース接続する必要がある。アース用ソケット１００には、リード線１０３の一端を挿入可能な電線挿入孔１００Ａが設けられており、導電板１０２には、電線挿入孔１００Ａに挿入されたリード線１０３の一端が接続される速結端子部（図示せず）が設けられている。また、リード線１０３の他端には、器具本体１０１にねじ止めするための圧着端子１０３Ａが設けられている。
【０００６】
以下、アース用ソケット１００の導電板１０２を器具本体１０１にアース接続する方法について説明する。先ず、アース用ソケット１００の電線挿入孔１００Ａにリード線１０３の一端を挿入し、導電板１０２の速結端子部にリード線１０３の一端を接続する。次に、リード線１０３の他端に設けられた圧着端子１０３Ａを器具本体１０１の何れかの面に当接させ、当該圧着端子１０３Ａを器具本体１０１にねじ止めする。これにより、アース用ソケット１００の導電板１０２を器具本体１０１にアース接続することができる。
【０００７】
しかしながら、上記のようにアース用ソケット１００の導電板１０２を器具本体１０１にアース接続する場合には、リード線１０３を用いて器具本体１０１にねじ止めする作業を行う必要がある。この場合、リード線１０３の先端に圧着端子１０３Ａを設ける加工が必要となり、ねじ止めの際にもねじの緩みに配慮せねばならず、更にリード線１０３の引き回しにも手間がかかり、組立作業（結線作業）が煩わしいという問題があった。
【０００８】
本発明は、上記の点に鑑みて為されたもので、リード線を用いることなくアース用ソケットの導電板を器具本体に容易にアース接続することのできる照明器具を提供することを目的とする。
【課題を解決するための手段】
【０００９】
本発明の照明器具は、ＬＥＤランプを支持する器具本体と、前記ＬＥＤランプのアース用口金が装着されるアース用ソケットと、前記器具本体に設けられて前記アース用ソケットが取り付けられる取付台部とを備え、前記アース用ソケットには、前記アース用口金から突出するランプピンを機械的に保持し且つ前記ランプピンに電気的に接続される導電板が設けられ、前記取付台部及び前記アース用ソケットには、前記アース用ソケットの前記導電板と前記器具本体との間をアース接続する接続手段が設けられ、前記接続手段は、前記取付台部に設けられて前記アース用ソケットに設けられた挿入孔に挿入される突起部であって、前記突起部は、前記アース用ソケットが前記取付台部に取り付けられると前記挿入孔を介して前記導電板に接触し、前記導電板には、前記突起部が挿入される孔部が設けられ、当該孔部の内周面に前記突起部が接触することを特徴とする。
【００１１】
この照明器具において、前記突起部は、撓み自在に形成されることが好ましい。
【００１３】
この照明器具において、前記孔部の内周縁には、前記突起部の突出する向きに突出し且つ前記孔部に挿入された前記突起部に近付く向きに傾斜する切り起こし片が設けられることが好ましい。
【００１４】
また、本発明の照明器具は、ＬＥＤランプを支持する器具本体と、前記ＬＥＤランプのアース用口金が装着されるアース用ソケットと、前記器具本体に設けられて前記アース用ソケットが取り付けられる取付台部とを備え、前記アース用ソケットには、前記アース用口金から突出するランプピンを機械的に保持し且つ前記ランプピンに電気的に接続される導電板が設けられ、前記取付台部及び前記アース用ソケットには、前記アース用ソケットの前記導電板と前記器具本体との間をアース接続する接続手段が設けられ、前記接続手段は、前記アース用ソケット及び前記取付台部に取り付けられ、前記アース用ソケットの前記導電板及び前記取付台部に電気的に接続される接続部材であり、前記アース用ソケットは、リード線が挿入される電線挿入孔を有し、前記導電板は、前記電線挿入孔に対向して配置されて速結端子構造を有する端子部を有し、前記接続部材は、前記電線挿入孔に挿入されて前記端子部に機械的に保持され且つ電気的に接続される挿入片を備えることを特徴とする。
【００１６】
この照明器具において、前記接続部材は、前記取付台部の一部が挿入される挿入溝を備え、前記挿入溝の内周縁に前記取付台部の一部が接触することが好ましい。
【発明の効果】
【００１７】
本発明は、リード線を用いることなくアース用ソケットの導電板を器具本体に容易にアース接続することができるという効果を奏する。
【図面の簡単な説明】
【００１８】
【図１】（ａ），（ｂ）は本発明に係る照明器具の実施形態１の要部を示す分解斜視図である。
【図２】（ａ）は同上の照明器具の分解斜視図で、（ｂ）は同上の照明器具の全体斜視図である。
【図３】（ａ），（ｂ）は同上の照明器具においてアース用ソケットを器具本体に取り付けた状態を示す要部斜視図である。
【図４】（ａ）〜（ｃ）は同上の照明器具の導電板の他の構成を示す図である。
【図５】（ａ）〜（ｃ）は同上の照明器具においてアース用ソケットをスナップイン取付けする場合の前側から見た一部省略した斜視図である。
【図６】（ａ）〜（ｃ）は同上の照明器具においてアース用ソケットをスナップイン取付けする場合の後側から見た斜視図である。
【図７】本発明に係る照明器具の実施形態２を示す図で、（ａ）は要部斜視図で、（ｂ）は接続部材の斜視図である。
【図８】同上の照明器具においてアース用ソケットを器具本体に取り付ける方法を示す斜視図である。
【図９】（ａ），（ｂ）はそれぞれ同上の照明器具における接続部材の挿入部の他の構成を示す斜視図である。
【図１０】同上の照明器具における接続部材の側片の他の構成を示す図で、（ａ）は斜視図で、（ｂ）は平面図で、（ｃ）は断面図で、（ｄ）は器具本体に取り付けた状態における要部断面図である。
【図１１】同上の照明器具における側片の更に他の構成を示す斜視図である。
【図１２】従来の照明器具においてアース用ソケットが器具本体にアース接続されている状態を示す概略図である。
【発明を実施するための形態】
【００１９】
（実施形態１）
以下、本発明に係る照明器具の実施形態１について図面を用いて説明する。なお、以下の説明では、図１（ａ）に示す矢印により、上下左右方向及び前後方向を定めるものとする。本実施形態は、図１（ａ），（ｂ）及び図２（ａ），（ｂ）に示すように、直管型のＬＥＤランプ１が装着されるアース用ソケット２及び給電用ソケット３と、各ソケット２，３が取り付けられてＬＥＤランプ１を支持する器具本体４とを備える。なお、アース用ソケット２は従来周知のソケットであるので、以下では本発明に係る部分を除いて詳細な説明を省略する。また、給電用ソケット３は、後述する挿入孔２０Ａが設けられていない点、及び後述する連結片２４の突片２４Ａと孔部２４Ｂとが設けられていない点を除いてアース用ソケット２と同じ構造であるので、以下では説明を省略する。
【００２０】
ＬＥＤランプ１は、図２（ｂ）に示すように、直管形のランプ本体１０と、ランプ本体１０の長手方向における両端にそれぞれ設けられた給電用口金１１及びアース用口金１２とで構成される。給電用口金１１には、１対の丸棒状のランプピン１１Ａが突設されており、アース用口金１２にも、１対の丸棒状のランプピン（図示せず）が突設されている。ランプ本体１０の内部には、図示しないが複数のＬＥＤを実装した基板が収納されており、これらＬＥＤのアノード及びカソードと、給電用口金１１の各ランプピン１１Ａとが電気的に接続されている。したがって、給電用口金１１のランプピン１１Ａを介して各ＬＥＤに点灯電力を供給することでＬＥＤランプ１を点灯させるようになっている。
【００２１】
アース用ソケット２は、図１（ａ），（ｂ）に示すように、外郭がＵ字状に形成された箱体から成り、前面を開口した樹脂製のボディ２０と、後面を開口した樹脂製のカバー２１とを組み立てて構成される。ボディ２０背面（後面）の上端部には、後述する取付台部４１の突起部４４（接続手段）が挿入される矩形状の挿入孔２０Ａが設けられている。カバー２１の下端部には、下面及び前面が開口するとともに、ＬＥＤランプ１のアース用口金１２のランプピンをスライド自在に挿入可能とする挿入凹部２１Ａが設けられている。この挿入凹部２１Ａの内部には、ランプピンを挟持して機械的に保持するとともに、ランプピンと電気的に接続される導電板２２が設けられている。カバー２１上側の左右両側面には、それぞれ左右外向きに突出する撓み自在な弾性片２１Ｂが設けられている。また、カバー２１上側の左右両側面には、後述する取付台部４１の取付片４３を弾性片２１Ｂとの間で挟持する突台部２１Ｃがそれぞれ形成されている。
【００２２】
導電板２２は、図４（ａ）に示すように、弾性を有する長尺板状の金属板から形成され、ランプピンを挟持する左右１対の接触片２３と、各接触片２３の中間部において各接触片２３を互いに連結する連結片２４とを一体に形成して構成される。各接触片２３の上端部には、リード線を接続するための速結端子構造を有する端子部２３Ａが設けられている。なお、本実施形態ではリード線を使用しないため、リード線の一端を結線するために端子部２３Ａを用いることはない。また、各接触片２３の下端部には、それぞれ左右外側に向かって断面円弧状に湾曲する保持部２３Ｂが設けられている。これら保持部２３Ｂの間でランプピンを挟持することで、ランプピンが導電板２２に機械的に保持されるとともに、ランプピンと導電板２２とが電気的に接続される。
【００２３】
連結片２４は、接触片２３と同様に上下方向に沿って長尺な矩形板状に形成され、その上端部には前向きに折り曲げられた矩形状の突片２４Ａが設けられている。また、連結片２４の上端部には、後述する取付台部４１の突起部４４が挿入される矩形状の孔部２４Ｂが設けられている。孔部２４Ｂの上下方向の厚み寸法は突起部４４の上下方向の厚み寸法よりも僅かに小さく、また、孔部２４Ｂの左右方向の幅寸法も突起部４４の左右方向の幅寸法よりも僅かに小さくなるように設計されている。したがって、孔部２４Ｂに突起部４４を押し込むように挿入することで、孔部２４Ｂの内周縁と突起部４４の外周面とが接触するようになっている。また、孔部２４Ｂに挿入された突起部４４の上面は、突片２４Ａの下面と接触するように設計されている（図３（ｃ）参照）。
【００２４】
器具本体４は、図２（ａ），（ｂ）に示すように、金属板から前後方向を長手方向とする長尺箱状に形成され、その前後両端部にはそれぞれアース用ソケット２及び給電用ソケット３を取り付けるための取付台部４１が設けられている。また、器具本体４の下面における各取付台部４１を除いた部分は開口部４０となっており、この開口部４０は前後方向に長尺な矩形板状に形成された蓋体５で閉塞される。なお、蓋体５の前後両端部には、それぞれ各ソケット２，３を避けるために矩形状の切り欠き５０が設けられている。
【００２５】
器具本体４の内部には、図示しないがＬＥＤランプ１に点灯電力を供給するための点灯装置が設けられている。そして、点灯装置と給電用ソケット３との間は、例えばリード線（図示せず）を介して電気的に接続されている。したがって、給電用ソケット３に装着されたＬＥＤランプ１は、点灯装置からの点灯電力の供給を受けて点灯する。なお、このような点灯装置は従来周知であるので、ここでは詳細な説明を省略する。
【００２６】
取付台部４１は、図１（ａ），（ｂ）に示すように、器具本体４を構成する金属板を折り曲げて箱形に形成され、その前面及び下面の一部は、各ソケット２，３を取り付けるためにそれぞれ矩形状に切り欠かれている。取付台部４１下面の切り欠き（以下、「取付用開口部４２」と呼ぶ）の内周縁の左右両辺からは、互いに近付く向き（内向き）に突出する矩形状の取付片４３が一体に形成されている。そして、アース用ソケット２の各弾性片２１Ｂと各突台部２１Ｃとでこれら取付片４３を挟持することで、アース用ソケット２が取付台部４１に取り付けられるようになっている。なお、図示しないが、給電用ソケット３も同様に取付台部４１に取り付けられるようになっている。
【００２７】
取付用開口部４２の内周縁の後辺には、前向きに突出する１対の棒状の突起から成る突起部４４が一体に形成されている。この突起部４４は、アース用ソケット２を取付台部４１に取り付ける際に、ボディ２０背面の挿入孔２０Ａ及び導電板２２の孔部２４Ｂに挿入される位置に設けられている。
【００２８】
以下、アース用ソケット２を器具本体４の取付台部４１に取り付ける方法について説明する。先ず、アース用ソケット２の弾性片２１Ｂと突台部２１Ｃとの間に取付台部４１の取付片４３が挿入されるように位置を合わせ、アース用ソケット２を後向きにスライドさせる。このとき、取付台部４１の突起部４４がアース用ソケット２のボディ２０の挿入孔２０Ｂに挿入され、更にアース用ソケット２内部の導電板２２の孔部２４Ｂに挿入される。そして、取付片４３が弾性片２１Ｂと突台部２１Ｃとの間に挟持され、アース用ソケット２が取付台部４１に取り付けられるとともに、突起部４４が導電板２２と接触する。すなわち、アース用ソケット２が取付台部４１に取り付けられるとともに、アース用ソケット２の導電板２２が器具本体４にアース接続される。
【００２９】
上述のように、本実施形態では、アース用ソケット２を器具本体４の取付台部４１に取り付ける際に、取付台部４１の突起部４４がボディ２０の挿入孔２０Ａ及び導電板２２の孔部２４Ｂに挿入され、突起部４４が導電板２２に接触する。したがって、本実施形態では、アース用ソケット２を器具本体４の取付台部４１に取り付けるだけで、リード線を用いることなくアース用ソケット２の導電板２２を器具本体４に容易にアース接続することができる。
【００３０】
また、本実施形態では、突起部４４は上述のように１対の棒状の突起から成るので、左右方向に沿って撓み自在となっている。このため、突起部４４を導電板２２の孔部２４Ｂに挿入する際には、突起部４４の方が孔部２４Ｂよりも僅かに寸法が大きいために、突起部４４は孔部２４Ｂの内周縁に押圧される形で挿入される。したがって、突起部４４は元の状態に戻ろうとする復帰力により孔部２４Ｂの内周縁を押圧するため、突起部４４の導電板２２への接触をより確実にすることができる。
【００３１】
なお、図４（ｂ），（ｃ）に示すように、連結片２４において、孔部２４Ｂの内周縁を切り起こすことで、突片２４Ａの突出する向きと同じ向きに突出する１対の切り起こし片２４Ｃを設けてもよい。各切り起こし片２４Ｃは、その根元から先端部に向かうにつれて互いに近付く向きに傾斜している。このため、各切り起こし片２４Ｃの先端部間の左右方向の幅寸法は、孔部２４Ｂの左右方向の幅寸法よりも小さくなっている。したがって、孔部２４Ｂに突起部４４を押し込むように挿入すると、突起部４４が各切り起こし片２４Ｃに押し当てられるため、突起部４４及び孔部２４Ｂの寸法のばらつきに依らずに突起部４４を導電板２２に接触させることができる。
【００３２】
ところで、図５，６に示すように、取付台部４１に矩形状の角穴４５を設け、角穴４５にアース用ソケット２を上側から挿入することでアース用ソケット２を取付台部４１に取り付ける、所謂スナップイン取付けに対応するように本実施形態を構成してもよい。この構成では、取付台部４１には、その後端縁から下方に突出し且つアース用ソケット２の背面と対向する矩形板状の突壁４６と、突壁４６の下端部から前向きに折り曲げられて突出する突起部４７とが一体に形成されている。
【００３３】
アース用ソケット２のボディ２０の背面には、上下方向に長尺な矩形状のスリット２０Ｂが設けられており、当該スリット２０Ｂには、取付台部４１の突起部４７が挿入されるようになっている。また、導電板２２の連結片２４の下端部には、図６（ａ）に示すように、前向きに折り曲げられて突出する突片２４Ｄが設けられている。
【００３４】
以下、アース用ソケット２を取付台部４１にスナップイン取付けする方法について図５，６を用いて説明する。なお、図６（ａ）〜（ｃ）では、突起部４７と連結片２４の突部２４Ｄとの接触を判り易くするために、アース用ソケット２の右半分の図示を省略している。先ず、図５（ａ），図６（ａ）に示すように、アース用ソケット２の下端部を取付台部４１の角穴４５に上側から挿入する。次に、図５（ｂ），図６（ｂ）に示すように、取付台部４１の突起部４７をアース用ソケット２のスリット２０Ｂに挿入する。そして、アース用ソケット２を下向きに押し込んでいき、弾性片２１Ｂと突台部２１Ｃとの間で取付台部４１の角穴４５の外周縁を挟持することで、アース用ソケット２が取付台部４１に取り付けられる。このとき、図５（ｃ），図６（ｃ）に示すように、スリット２０Ｂに挿入された突起部４７に導電板２２の突片２４Ｄが押し当てられることで、突起部４４が導電板２２と接触する。すなわち、アース用ソケット２が取付台部４１に取り付けられるのとともに、アース用ソケット２の導電板２２が器具本体４にアース接続される。
【００３５】
上述のように、スナップイン取付けする場合においても、アース用ソケット２を器具本体４の取付台部４１に取り付けるだけで、リード線を用いることなくアース用ソケット２の導電板２２を器具本体４に容易にアース接続することができる。
【００３６】
（実施形態２）
以下、本発明に係る照明器具の実施形態２について図面を用いて説明する。なお、以下の説明では、図７（ａ）に示す矢印により、上下左右方向及び前後方向を定めるものとする。また、本実施形態の基本的な構成は実施形態１と共通であるので、共通する部位には同一の番号を付して説明を省略する。
【００３７】
本実施形態は、図７（ａ），（ｂ）に示すように、アース用ソケット６と、アース用ソケット６及び器具本体４の取付台部４１に取り付けられてアース用ソケット６の導電板６１と器具本体４とを電気的に接続するための接続部材７（接続手段）とを備える。なお、アース用ソケット６は従来周知のソケットであるので、以下では本発明に係る部分を除いて詳細な説明を省略する。また、アース用ソケット６と対を成す給電用ソケットはアース用ソケット６と同じ構造であるので、ここでは詳細な図示及び説明を省略する。
【００３８】
アース用ソケット６は、実施形態１のアース用ソケット２と同様に樹脂製であり、図８に示すように、その前面にランプピンを接続する回転子６０が回転自在に設けられている。回転子６０の下端部には、下面及び前面が開口するとともに、ＬＥＤランプ１のアース用口金１２のランプピンをスライド自在に挿入可能とする挿入凹部６０Ａが設けられている。この挿入凹部６０Ａの内部には、ランプピンを挟持して機械的に保持するとともに、ランプピンと電気的に接続される導電板６１が設けられている。
【００３９】
したがって、ランプピンを挿入凹部６０Ａに挿入し、回転子６０を時計回り又は反時計回りに９０度回転させることで、ランプピンが導電板６１に機械的に保持され、また、ランプピンが導電板６１に電気的に接続される。なお、導電板６１は、図４（ａ）に示す導電板２２の接触子２３と同様に１対の接触子を備えた構造であり、従来周知であるので、ここでは詳細な図示及び説明を省略する。
【００４０】
アース用ソケット６の上端部は、回転子６０の前面よりも前向きに突出する基台部６２となっており、その左右両端部には、それぞれ取付台部４１の取付片４３がスライド自在に挿入される取付溝６２Ｂが前後方向に沿って凹設されている。また、基台部６２の前面には、リード線（図示せず）の一端が挿入される１対の円形状の電線挿入孔６２Ａが設けられている。これら電線挿入孔６２Ａと対向する形で、導電板６１と一体に設けられて速結端子構造を有する１対の端子部（図示せず）がアース用ソケット６の内部に配設されている。なお、各端子部の速結端子構造は、図４（ａ）に示す各端子部２３Ａの速結端子構造と同じであり、従来周知であるので、ここでは詳細な図示及び説明を省略する。
【００４１】
したがって、リード線の一端を各電線挿入孔６２Ａに挿入することで、リード線を導電板６１の各端子部に結線することができるようになっている。本実施形態では、リード線の代わりに、後述する接続部材７の各挿入片７０Ａを各電線挿入孔６２Ａに挿入することで、各挿入片７０Ａが導電板６１の各端子部に機械的に保持され、また、各挿入片７０Ａが導電板６１に電気的に接続されるようになっている。
【００４２】
接続部材７は、例えば銅合金やステンレス等の導電性を有する板金を加工して成り、図７（ｂ）に示すように、左右方向に長尺な矩形板状の主片７０と、主片７０の左右両端部に各々設けられた１対の側片７１とから構成される。主片７０後端の左右方向における中央部には、後向きに突出する１対の細長い板状の挿入片７０Ａが一体に形成されている。これら挿入片７０Ａは、アース用ソケット６の電線挿入孔６２Ａに挿入可能な寸法で形成されている。
【００４３】
各側片７１は、図７（ｂ）に示すように、主片７０の左右何れかの端部から下向きに突出する第１の延設片７１Ａと、第１の延設片７１Ａの下端部から左右方向に沿って外向きに突出する第２の延設片７１Ｂとを備える。また、各側片７１は、第２の延設片７１Ｂの左右何れかの端部から上向きに突出する第３の延設片７１Ｃを備える。そして、第１の延設片７１Ａ及び第３の延設片７１Ｃには、それぞれ後端が開口して取付台部４１の取付片４３がスライド自在に挿入される挿入溝７２が設けられている。挿入溝７２は、その上下方向の厚み寸法が取付片４３の上下方向の厚み寸法よりも僅かに小さくなるように形成されている。また、挿入溝７２の後端部は、開口に向かうにつれて上下方向の幅寸法が大きくなるようにテーパ７２Ａが形成されており、当該テーパ７２Ａに沿って取付片４３が挿入溝７２に案内されるようになっている。
【００４４】
以下、アース用ソケット６及び接続部材７を器具本体４の取付台部４１に取り付ける方法について説明する。先ず、図８に示すように、取付台部４１の取付片４３をアース用ソケット６の取付溝６２Ｂの位置に合わせ、アース用ソケット６を後方にスライドさせる。これにより、取付溝６２Ｂに取付片４３が嵌合し、アース用ソケット６が取付台部４１に取り付けられる。次に、接続部材７の各挿入片７０Ａをアース用ソケット６の各電線挿入孔６２Ａに挿入し、接続部材７を後方にスライドさせる。
【００４５】
このとき、接続部材７の挿入溝７２に取付片４３が挿入されて嵌合することで、接続部材７が取付台部４１に機械的に保持される。また、挿入溝７２の内周縁に取付片４３が接触するため、接続部材７と器具本体４とが電気的に接続される。同時に、各挿入片７０Ａがアース用ソケット６内部の導電板６１の各端子部に機械的に保持され、また、各挿入片７０Ａが導電板６１に電気的に接続される。すなわち、接続部材７が取付台部４１に取り付けられるとともに、アース用ソケット６の導電板６１が接続部材７を介して器具本体４にアース接続される。
【００４６】
上述のように、本実施形態では、アース用ソケット６を器具本体４の取付台部４１に取り付けた状態で接続部材７をアース用ソケット６及び取付台部４１に取り付けることで、アース用ソケット６の導電板６１が接続部材７を介して器具本体４にアース接続される。したがって、本実施形態では、アース用ソケット６及び接続部材７を器具本体４の取付台部４１に取り付けるだけで、リード線を用いることなくアース用ソケット６の導電板６１を器具本体４に容易にアース接続することができる。また、従来のようにリード線１０３を用いる必要がないことから、リード線１０３に圧着端子１０３Ａを設ける加工も必要がなく、コストを削減することができる。更に、接続部材７と取付台部４１との間でアース用ソケット６が挟持される形となるので、アース用ソケット６が取付台部４１から脱落するのを防止することができる。
【００４７】
なお、接続部材７は、各挿入片７０Ａをアース用ソケット６の導電板６１の各端子部に鎖錠されることで、アース用ソケット６に機械的に保持される。このため、アース用ソケット６に予め接続部材７を取り付けた状態で、アース用ソケット６を取付台部４１に取り付けてもよく、組立作業をより容易にさせることができる。
【００４８】
ところで、接続部材７の各挿入片７０Ａは、図９（ａ）に示すように、アース用ソケット６の各電線挿入孔６２Ａに挿入可能な程度の径寸法で円筒状に形成してもよい。この場合、各挿入片７０Ａが導電板６１の各端子部により安定して保持されるので、接続部材７と導電板６１との電気的接続がより安定する。また、図９（ｂ）に示すように、各挿入片７０Ａを根元から時計回り又は反時計回りに９０度捩じって形成してもよい。この場合、各挿入片７０Ａが導電板６１の各端子部により確実に鎖錠されるので、接続部材７と導電板６１との電気的接続がより安定する。
【００４９】
また、図１０（ａ）〜（ｃ）に示すように、各側片７１の第３の延設片７１Ｃをそれぞれ左右方向の外向きに広がるように傾斜させてもよい。この場合、接続部材７を取付台部４１に取り付けると、図１０（ｄ）に示すように、第３の延設片７１Ｃの挿入溝７２の内周のエッジが取付片４３に食い込む。これにより、仮に取付台部４１が塗装されていたとしても、接続部材７を取付台部４１の金属部分に接触させることができ、接続部材７と器具本体４との電気的接続がより安定する。
【００５０】
なお、上記実施形態では、接続部材７の挿入溝７２に取付片７３を嵌合することで接続部材７を取付台部４１に取り付けているが、接続部材７の一部をアース用ソケット６の取付溝６２Ｂに挿入する構成であってもよい。この構成では、接続部材７は、図１１に示すように、各側片７１は、主片７０の左右何れかの端部から下向きに突出する第４の延設片７１Ｄと、第４の延設片７１Ｄの下端部から左右方向に沿って内向きに突出する第５の延設片７１Ｅとから構成される。第５の延設片７１Ｅは、その前後方向の幅寸法が第４の延設片７１Ｄの前後方向の幅寸法よりも大きくなるように形成されている。
【００５１】
したがって、アース用ソケット６を取付台部４１に取り付けた状態で、接続部材７の各挿入片７０Ａをアース用ソケット６の各電線挿入孔６２Ａに挿入すると、第５の延設片７１Ｅが取付溝６２Ｂの内周縁と取付片４３との間で挟持される。これにより、接続部材７が取付台部４１に機械的に保持され、また、第５の延設片７１Ｅが取付片４３に接触するため、接続部材７と器具本体４とが電気的に接続される。
【符号の説明】
【００５２】
２  アース用ソケット
２０Ａ  挿入孔
２２  導電板
２４Ａ  突片
２４Ｂ  孔部
４  器具本体
４１  取付台部
４２  取付用開口部
４４  突起部（接続手段）
【図１】
0005756906.tif 000002
【図２】
0005756906.tif 000003
【図３】
0005756906.tif 000004
【図４】
0005756906.tif 000005
【図５】
0005756906.tif 000006
【図６】
0005756906.tif 000007
【図７】
0005756906.tif 000008
【図８】
0005756906.tif 000009
【図９】
0005756906.tif 000010
【図１０】
0005756906.tif 000011
【図１１】
0005756906.tif 000012
【図１２】
0005756906.tif 000013